(57)【特許請求の範囲】
【請求項１】
複数の照明器具を信号線で接続して構成される照明装置であって、
前記照明器具は、他の照明器具と個別に接続される前記信号線に接続される１つまたは２つの送受信用の通信部と、照明負荷と、前記通信部を介した他の照明器具との相互の情報交換により前記照明負荷の制御処理を行う制御部とを備え、
前記制御部は、所定のトリガの投入後、所定の信号を最初に前記通信部を介して受信した場合には、その通信部を介して前記所定の信号に対する返信信号を返信するとともにその通信部に対して低い優先権を付与するように処理を行う一方、前記所定のトリガの投入後、前記所定の信号を最初に前記通信部を介して送信した結果、その通信部を介して前記所定の信号に対する返信信号を受信した場合には、その通信部に対して信号送信用の高い優先権を付与するように処理を行うことで前記所定の信号を最初に送信した照明器具に対して高い優先権を付与する 
照明装置。
【請求項２】
前記優先権には複数の優先順位があって、
前記制御部は、前記優先権を付与するように処理を行った後、前記所定の信号に対する返信信号を、自己側の優先権の付与状態を示す情報とともに返信する処理を行う一方、前記通信部を介して受信した他の照明器具側の優先権の付与状態と自己側の優先権の付与状態との間に不整合が生じていると、前記他の照明器具側の優先権の付与状態を利用して自己側の優先権の付与状態を修正する処理を行う
請求項１記載の照明装置。
【請求項３】
前記制御部は、前記優先権を付与するように処理が行われる前はランダムな値を利用したタイミングで信号の送信処理を行う請求項１または２記載の照明装置。
【請求項４】
前記所定のトリガの投入とは電源投入または外部送信機からの信号入力である請求項１〜３のいずれかに記載の照明装置。
【請求項５】
前記優先権を付与するとは優先権を設定することであり、前記所定のトリガが投入されると、前記優先権の設定が初期化され、前記制御部は新たな優先権を設定する処理を行う請求項１〜４のいずれかに記載の照明装置。
【請求項６】
前記所定の信号は、前記照明器具で使用される任意の信号または前記
優先権付与用の特定の信号である請求項１〜５のいずれかに記載の照明装置。
【請求項７】
前記制御部は、当該制御部が属する照明器具に対して高い優先権を付与するように処理が行われた場合には、前記通信部を介して信号を送信した後、その信号に対する返信信号を受信しないまま所定時間が経過すると同一の信号を再度送信する処理を行う一方、当該制御部が属する照明器具に対して高い優先権を付与するように処理が行われなかった場合には、前記通信部を介して信号を送信した後、その信号に対する返信信号を受信しないまま前記所定時間より長い時間が経過すると同一の信号を再度送信する処理を行う請求項１〜６のいずれかに記載の照明装置。
【請求項８】
前記制御部は、当該制御部が属する照明器具に対して、高い優先権を付与するように処理が行われた場合には、前記通信部を介して信号を送信した後、高い優先権を付与するように処理が行われなかった照明器具に対して信号の送信を許容する処理を行う請求項１〜７のいずれかに記載の照明装置。
【請求項９】
複数の照明器具を信号線で接続して構成される照明装置であって、
前記照明器具は、前記信号線に接続される送受信用の通信部と、照明負荷と、前記通信部を介した他の照明器具との相互の情報交換により前記照明負荷の制御処理を行う制御部とを備え、
前記制御部は、
電源投入後、前記照明器具で使用される信号のうち、任意の信号を最初に前記通信部を介して受信した場合には、その通信部を介して前記任意の信号に対する返信信号を返信するとともにその通信部に対して低い優先権を付与するように処理を行う一方、電源投入後、前記任意の信号を最初に前記通信部を介して送信した結果、その通信部を介して前記任意の信号に対する返信信号を受信した場合には、その通信部に対して高い優先権を付与するように処理を行い、
また、当該制御部が属する照明器具に対して高い優先権を付与するように処理が行われた場合には、前記通信部を介して信号を送信した後、その信号に対する返信信号を受信しないまま所定時間が経過すると同一の信号を再度送信する処理を行う一方、当該制御部が属する照明器具に対して低い優先権を付与するように処理が行われた場合には、前記通信部を介して信号を送信した後、その信号に対する返信信号を受信しないまま前記所定時間より長い時間が経過すると同一の信号を再度送信する処理を行い、
また、前記優先権を付与するように処理を行った後、前記任意の信号に対する返信信号を、自己側の優先権の付与状態を示す情報とともに返信する処理を行う一方、前記通信部を介して受信した他の照明器具側の優先権の付与状態と自己側の優先権の付与状態との間に不整合が生じていると、前記他の照明器具側の優先権の付与状態を利用して自己側の優先権の付与状態を修正する処理を行い、
電源が投入されると、前記優先権の付与状態が初期化され、前記制御部は新たな優先権を設定する処理を行う
照明装置。  
【発明の詳細な説明】
【０００１】
【発明の属する技術分野】
本発明は、通信部、照明負荷およびこの照明負荷制御用の制御部などにより成る照明器具を複数有し、各通信部に信号線が相互通信可能に接続されて構成される照明装置に関するものである。
【０００２】
【従来の技術】
従来、通信部、照明負荷およびこの照明負荷制御用の制御部などにより成る照明器具を複数有し、各通信部に信号線が相互通信可能に接続されて構成される照明装置が種々提案されている。
【０００３】
図１６は親機をさらに備える従来の照明装置を示す図で、この照明装置は、いわゆる集中監視型のシステムで、その集中監視の制御を行う集中監視装置（以下単に親機という）１と、この親機１とバス配線接続される複数の照明器具１０ａとにより構成されている。この照明装置には、親機１からの命令に従って各照明器具１０ａの点灯状態を変化させる機能や各照明器具１０ａに対してその状態を親機１に通知させる機能などが搭載される。したがって、命令（情報）の流れは親機１から各照明器具１０ａへの一方向になり、子機となる各照明器具１０ａからの送信は親機１のポーリングによる特定のタイミングで行われる。つまり、各照明器具１０ａからの送信は、親機１からの情報要求命令に対して返信を行う場合にのみ発生し、任意のタイミングで各照明器具１０ａが送信を開始するような状態は発生しなかった。換言すると、親機１は、各照明器具１０ａの送信タイミングを管理して、複数の照明器具１０ａによる同時送信の発生を防止していたのである。これにより、同時送信による信号の衝突が回避され、好適な通信状態が確保されるのである。
【０００４】
ところで、近年、制御装置の小型化や機能分散化が進んでおり、集中監視装置を排除して子機であった端末に全ての機能を内包させるいわゆる分散処理型のシステムが主流となっている。
【０００５】
図１７はこのような分散処理型となる従来の照明装置を示す図で、この照明装置は、複数の照明器具１０ｂをバス配線接続して成り、各照明器具１０ｂは、独自の情報あるいは他の照明器具１０ｂからの情報により、自己の図示しない照明負荷を制御する。この照明装置では、親機が無いのでその設置場所が不要で配線施工が容易になるなどのメリットが多い。
【０００６】
なお、特開平９−３５８７６号公報には、照明制御系が複数系統接続される入出力部と、各照明制御系において照明負荷の制御に用いる照明制御信号の特定情報と他の照明制御系において照明負荷の制御に用いる照明制御信号の特定情報とをあらかじめ対応付けた分配情報テーブルと、いずれかの照明制御系の照明制御信号を受け取ると分配情報テーブルを参照することにより上記特定情報を他の照明制御系の照明制御信号に用いるように変換して上記他の照明制御系に取り出せる中継処理部とを備え、各照明制御系の仕様にほとんど変更を加えることなく見掛け上で信号線を延長することができるようにする照明用中継器などが開示されている。
【０００７】
【発明が解決しようとする課題】
しかしながら、図１７に示す従来の照明装置では、親機により各照明器具の送信タイミングの管理が行われないので、各照明器具が任意のタイミングで信号を送信すると、照明器具間で信号の衝突が発生して情報が消失してしまう問題がある。
【０００８】
この問題を解決するために、例えば、各照明器具が信号の衝突を監視して衝突を検出すると同一の信号を再度送信する構成が採られる。このような構成では、再送のタイミングにはランダム値が利用されるが、完全なランダム値を発生させるのは技術的に困難であることおよびそのようなランダム値生成手段を具備すると価格上昇を招くことなどから、擬似的に生成したランダム値が利用される場合が多い。このような場合、疑似ランダム値は同条件では同一の値を発生する特性があるので、各照明器具間に発生し得る信号の衝突を好適に防止することができなくなる恐れがある。
【０００９】
本発明は、上記事情に鑑みてなされたものであり、信号の衝突を回避して情報の損失を防止し得る照明装置を提供することを目的とする。
【００１０】
【課題を解決するための手段】
上記課題を解決するために請求項１記載の発明は、複数の照明器具を信号線で接続して構成される照明装置であって、前記照明器具は、他の照明器具と個別に接続される前記信号線に接続される１つまたは２つの送受信用の通信部と、照明負荷と、前記通信部を介した他の照明器具との相互の情報交換により前記照明負荷の制御処理を行う制御部とを備え、前記制御部は、所定のトリガの投入後、所定の信号を最初に前記通信部を介して受信した場合には、その通信部を介して前記所定の信号に対する返信信号を返信するとともにその通信部に対して低い優先権を付与するように処理を行う一方、前記所定のトリガの投入後、前記所定の信号を最初に前記通信部を介して送信した結果、その通信部を介して前記所定の信号に対する返信信号を受信した場合には、その通信部に対して信号送信用の高い優先権を付与するように処理を行うことで前記所定の信号を最初に送信した照明器具に対して高い優先権を付与するのである。
【００１１】
この構成では、所定の信号を最初に送信した照明器具に対して信号送信用の高い優先権
を付与するように処理が行われるので、高い優先権を付与するように処理が行われた照明器具と高い優先権を付与するように処理が行われなかった照明器具との間で、優先権の付与状態に従って送受信が行われる構成にすれば、信号の衝突を回避することが可能となり、情報の損失を防止することが可能になる。また、所定の信号を最初に通信部を介して送信した結果、その通信部を介して所定の信号に対する返信信号を受信した制御部が、当該制御部が属する照明器具のその通信部に対して高い優先権を付与するように処理が行われたことを認識することができる一方、その返信信号を送信した制御部がその返信先の優先権の付与状態を認識することができるとともに当該制御部が属する照明器具のその通信部に対して低い優先権を付与するように処理を行ったので、優先権の競合状態を防止することができる。  
【００１２】
請求項２記載の発明は、請求項１記載の照明装置において、前記優先権には複数の優先順位があって、前記制御部は、前記優先権を付与するように処理を行った後、前記所定の信号に対する返信信号を、自己側の優先権の付与状態を示す情報とともに返信する処理を行う一方、前記通信部を介して受信した他の照明器具側の優先権の付与状態と自己側の優先権の付与状態との間に不整合が生じていると、前記他の照明器具側の優先権の付与状態を利用して自己側の優先権の付与状態を修正する処理を行うものである。この構成によれば、優先権の付与状態に不整合が生じると、その不整合が自動修正されるようになる。
【００１３】
請求項３記載の発明は、請求項１または２記載の照明装置において、前記制御部は、前記優先権を付与するように処理が行われる前はランダムな値を利用したタイミングで信号の送信処理を行うものである。この構成によれば、優先権を付与するように処理が行われる前、信号が衝突する確率が減少するようになる。
【００１４】
請求項４記載の発明は、請求項１〜３のいずれかに記載の照明装置において、前記所定のトリガの投入とは電源投入または外部送信機からの信号入力である。電源投入である場合には、電源投入に応じて自動的に優先権を付与するように処理が行われるので、優先権の付与のための手間が不要となる。また、外部送信機からの信号入力である場合には、意識的に信号入力を行うことで、例えば、優先権の付与状態の不整合を補正することができる。
【００１５】
請求項５記載の発明は、請求項１〜４のいずれかに記載の照明装置において、前記優先権を付与するとは優先権を設定することであり、前記所定のトリガが投入されると、前記優先権の設定が初期化され、前記制御部は新たな優先権を設定する処理を行うものである。この構成でも、信号の衝突を回避することが可能となり、情報の損失を防止することが可能になる。
【００１６】
請求項６記載の発明は、請求項１〜５のいずれかに記載の照明装置において、前記所定の信号は、前記照明器具で使用される任意の信号または前記優先権付与用の特定の信号である。この構成でも、信号の衝突を回避することが可能となり、情報の損失を防止することが可能になる。
【００１７】
請求項７記載の発明は、請求項１〜６のいずれかに記載の照明器具において、前記制御部は、当該制御部が属する照明器具に対して高い優先権を付与するように処理が行われた場合には、前記通信部を介して信号を送信した後、その信号に対する返信信号を受信しないまま所定時間が経過すると同一の信号を再度送信する処理を行う一方、当該制御部が属する照明器具に対して高い優先権を付与するように処理が行われなかった場合には、前記通信部を介して信号を送信した後、その信号に対する返信信号を受信しないまま前記所定時間より長い時間が経過すると同一の信号を再度送信する処理を行うものである。この構成では、照明器具は、当該照明器具に対して、高い優先権を付与するように処理が行われた場合には、高い優先権を付与するように処理が行われなかった場合よりも、例えば信号の衝突発生時、優先的に（先に）同一の信号を再度送信することができるようになる。この結果、信号の衝突を回避することが可能となり、情報の損失を防止することが可能になる。
【００１８】
請求項８記載の発明は、請求項１〜７のいずれかに記載の照明器具において、前記制御部は、当該制御部が属する照明器具に対して、高い優先権を付与するように処理が行われ
た場合には、前記通信部を介して信号を送信した後、高い優先権を付与するように処理が行われなかった照明器具に対して信号の送信を許容する処理を行うものである。この構成では、照明器具は、当該照明器具に対して、高い優先権を付与するように処理が行われた場合には、高い優先権を付与するように処理が行われなかった場合よりも、優先的に（先に）信号を送信することができるようになる。この結果、信号の衝突を回避することが可能となり、情報の損失を防止することが可能になる。また、通信路の独占防止が可能になる。
【００１９】
請求項９記載の発明は、複数の照明器具を信号線で接続して構成される照明装置であって、前記照明器具は、前記信号線に接続される送受信用の通信部と、照明負荷と、前記通信部を介した他の照明器具との相互の情報交換により前記照明負荷の制御処理を行う制御部とを備え、前記制御部は、電源投入後、前記照明器具で使用される信号のうち、任意の信号を最初に前記通信部を介して受信した場合には、その通信部を介して前記任意の信号に対する返信信号を返信するとともにその通信部に対して低い優先権を付与するように処理を行う一方、電源投入後、前記任意の信号を最初に前記通信部を介して送信した結果、その通信部を介して前記任意の信号に対する返信信号を受信した場合には、その通信部に対して高い優先権を付与するように処理を行い、また、当該制御部が属する照明器具に対して高い優先権を付与するように処理が行われた場合には、前記通信部を介して信号を送信した後、その信号に対する返信信号を受信しないまま所定時間が経過すると同一の信号を再度送信する処理を行う一方、当該制御部が属する照明器具に対して低い優先権を付与するように処理が行われた場合には、前記通信部を介して信号を送信した後、その信号に対する返信信号を受信しないまま前記所定時間より長い時間が経過すると同一の信号を再度送信する処理を行い、また、前記優先権を付与するように処理を行った後、前記任意の信号に対する返信信号を、自己側の優先権の付与状態を示す情報とともに返信する処理を行う一方、前記通信部を介して受信した他の照明器具側の優先権の付与状態と自己側の優先権の付与状態との間に不整合が生じていると、前記他の照明器具側の優先権の付与状態を利用して自己側の優先権の付与状態を修正する処理を行い、電源が投入されると、前記優先権の付与状態が初期化され、前記制御部は新たな優先権を設定する処理を行うものである。
【００２０】
この構成によれば、信号の衝突を回避することが可能となり、情報の損失を防止することが可能になる。また、優先権の競合状態を防止することができる。優先権の付与状態の不整合を自動修正することができる。さらに、通信路の独占防止が可能になる。
【００２１】
【発明の実施の形態】
図１は本発明の第１実施形態に係る照明装置における各照明器具の構成図、図２は第１実施形態に係る照明装置を示す図で、これらの図を用いて以下に第１実施形態の説明を行う。ただし、下記説明において、識別の便宜上、図２に示す括弧内の符号１０Ａ，１０Ｂを適宜使用する。
【００２２】
本照明装置は、図２に示すように、複数の照明器具１０を信号線Ｎで接続して成り、各照明器具１０は、図１および図２に示すように、他の１つの照明器具１０と個別に接続される信号線Ｎに接続される送受信用の通信部１１と、蛍光灯などの照明負荷１２と、各種情報を記憶する記憶部１３と、検出エリア内における人の存否検出用の人感センサ１４と、例えばマイコン（マイクロコンピュータ）により成り当該照明器具１０全般の制御などの処理を行う制御部１６と、これら各部に電力を供給する電源部１７とにより構成されている。
【００２３】
ここで、各照明器具１０の制御部１６が有する種々の処理機能を説明する。例えば、人感センサ１４の出力を監視して人感センサ１４が検出エリア内に人の存在を検出すると、人の存在の検出結果を通信部１１を介して他の照明器具１０に送信する処理が行われる。また、通信部１１を介して人の存在の検出結果を受信すると、その検出結果のデータに誤りがないかのパリティチェックを行い、誤りがなければ正確に受信できた旨の返信信号を通信部１１を介してその検出結果の送信元に返信する処理が行われる。さらに、従来と同様に、通信部１１を介した他の照明器具１０との相互の情報交換により照明負荷１２を制
御する処理が行われる。
【００２４】
そして、第１実施形態の特徴として、所定のトリガの投入としての各電源投入後、各制御部１６は、所定の信号を最初に送信した照明器具１０に対して、信号送信用の高い優先権を付与するように処理を行う。さらに詳述すると、各電源投入後、図２に示す同一の信号線Ｎで互いに接続された２つの照明器具１０Ａ，１０Ｂのうち、所定の信号として例えば人の存在の検出結果を最初に送信した照明器具１０におけるその同一の信号線Ｎに接続された通信部１１に対して、信号送信用の高い優先権を付与するように優先権の有る設定を行うとともに、人の存在の検出結果を最初に送信しなかった照明器具１０における上記同一の信号線Ｎに接続された通信部１１に対して、信号送信用の低い優先権を付与するように優先権の無い設定を行う処理が照明器具１０Ａ，１０Ｂの各制御部１６により実行される。このため、各制御部１６は、通信部１１を介して人の存在の検出結果を電源投入後最初に受信した場合、その通信部１１に対して優先権の無い設定を行う処理機能と、電源投入後最初に人の存在の検出結果を送信した結果、通信部１１を介して正確に受信できた旨の返信信号を受信した場合、その通信部１１に対して優先権の有る設定を行う処理機能とを有するのである。なお、同一の信号線Ｎで互いに接続される両通信部１１のうち、一方の通信部１１に対して優先権の有る設定を行うということは、他方の通信部１１に対して優先権の無い設定を行うことであり、このことは、その一方の通信部１１に対して高い優先権を設定するとともに他方の通信部１１に対して低い優先権を設定することと実質同一であるのは言うまでもない。
【００２５】
さらに、各制御部１６は、優先権の設定処理が終了すると、これ以降、優先権の有無に従って種々のデータを送信する処理を行う。例えば、優先権の有る設定の照明器具１０の制御部１６は、優先権の無い設定の照明器具１０に対して、ある信号の送信を行った後、その送信に対する返信信号を受信しないまま、その送信時点から所定の返信信号待ち時間が経過すると、同じ信号を再度送信する処理を行う。これに対して、優先権の無い設定の照明器具１０の制御部１６は、優先権の有る設定の照明器具１０に対して、あるデータの送信を行った後、その送信に対する返信信号を受信しないまま、その送信時点から上記返信信号待ち時間が経過すると、優先権の有る設定の照明器具１０用の再送待ち時間がさらに経過するのを待つ処理を行う。
【００２６】
次に、第１実施形態の特徴となる動作を説明する。まず、優先権の設定動作を説明する。ただし、電源投入前の照明器具１０Ａ，１０Ｂは、優先権の有無が設定されていないあるいは優先権の無い設定になっているものとする。
【００２７】
各電源投入後、照明器具１０Ａ，１０Ｂのうち、人が最初に、例えば照明器具１０Ａの人感センサ１４の検出エリア内に存在するようになると、人の存在の検出結果が照明器具１０Ａから照明器具１０Ｂに送信される。
【００２８】
この後、照明器具１０Ｂにおいて、通信部１１を介して人の存在の検出結果を電源投入後最初に受信すると、検出結果のデータに誤りがないかのチェックを行って誤りがなければ、正確に受信できた旨の返信信号を通信部１１を介して照明器具１０Ａに返信するとともにその通信部１１に対して優先権の無い設定を行う処理が実行される。なお、誤りがあればその旨の通知を行うようにして再送を促す構成にしてもよいのは言うまでもない。
【００２９】
この後、照明器具１０Ａにおいて、電源投入後最初に人の存在の検出結果を送信した結果、照明器具１０Ｂから通信部１１を介して正確に受信できた旨の返信信号を受信すると、その通信部１１に対して優先権の有る設定を行う処理が実行される。
【００３０】
以上により、優先権の有る設定が照明器具１０Ａ（における通信部１１）に対して行われるとともに、優先権の無い設定が照明器具１０Ｂ（における通信部１１）に対して行われることとなり、照明器具１０Ａと照明器具１０Ｂとの間で、設定された優先権の有無に従って送受信が行われる構成にすれば、信号衝突を回避することが可能となり、情報の損失を確実に防止することが可能になる。
【００３１】
次に、この情報の損失を防止し得る動作例について説明する。上記動作で優先権の有無が設定された後、照明器具１０Ａおよび照明器具１０Ｂの双方がたまたまほぼ同時に送信を行ったとすると、信号の衝突により双方の送信データが壊れることになる。この場合、
照明器具１０Ａおよび照明器具１０Ｂの双方とも返信信号を送信先から受信することができない。
【００３２】
この後、照明器具１０Ａでは、上記送信時点から返信信号待ち時間が経過すると、同じ信号を再度送信する処理が行われる。これに対して、照明器具１０Ｂでは、上記送信時点から返信信号待ち時間が経過すると、さらに再送待ち時間が経過するのを待つ処理が行われる。
【００３３】
これにより、再送待ち時間中に、信号の衝突が発生しない状態で照明器具１０Ａの再送が行われることになる。また、再送待ち時間中に照明器具１０Ａにより再送が行われた後、信号の衝突が発生しない状態で、照明器具１０Ｂによる再送も可能になる。この結果、衝突が発生しても、最初の再送時に信号を確実に送信することが可能になるのである。
【００３４】
なお、第１実施形態では、所定の信号の例として、人の存在の検出結果の送信信号が採用される構成になっているが、これに限らず、上記のように通常の動作時に送信する信号、例えば、調光データの信号または図示しないスイッチのオン操作信号などの任意の信号が採用される構成でもよい。また、上記所定の信号として人の存在の検出結果を利用しない場合には、照明器具１０に人感センサ１４を必ずしも搭載する必要はないのは言うまでもない。
【００３５】
また、各制御部は、優先権の有無を設定するまでは、擬似的なランダム時間を返信信号待ち時間に使用する構成でもよい。これにより、優先権の有無設定前における信号衝突の発生率を低減することができ、信号の損失を最小限にくい止めることができる。
【００３６】
さらに、第１実施形態では、所定の信号を最初に送信した照明器具（における通信部）に対して、高い優先権を付与するように優先権の有る設定を行うとともに、所定の信号を最初に送信しなかった照明器具（における通信部）に対して、低い優先権を付与するように優先権の無い設定を行う処理が各制御部により実行される構成になっているが、これに限らず、所定の信号を最初に送信した照明器具（における通信部）に対して、高い優先権を付与するように優先順位第１位または単に高い優先権の設定を行うとともに、人の存在の検出結果を最初に送信しなかった照明器具（における通信部）に対して、低い優先権を付与するように例えば優先順位第２位または単に低い優先権の設定を行う処理が各制御部により実行される構成でもよい。なお、図２の例では、上記括弧内の記載は省略可能である。
【００３７】
図３は本発明の第２実施形態に係る照明装置を示す図、図４は図３に示す照明装置における各照明器具の構成図で、これらの図を用いて以下に第２実施形態の説明を行う。ただし、下記説明において、識別の便宜上、図３に示す括弧内の符号２０Ａ，２０Ｂを適宜使用する。
【００３８】
本照明装置は、図３に示すように、複数の照明器具２０を信号線Ｎで接続して成り、各照明器具２０は、図４に示すように、通信部１１、照明負荷１２、記憶部１３、人感センサ１４および電源部１７を第１実施形態と同様に備えているほか、第１実施形態との相違点として制御部２６を備えている。
【００３９】
この制御部２６は、優先権の無い設定の照明器具２０に対してデータ通信効率を向上させるための処理機能をさらに有している以外は、第１実施形態の制御部１６と同様に構成される。すなわち、制御部２６は、優先権の有無設定が終了した後、ある信号を通信部１１を介して他の照明器具２０に送信し、これに対する返信信号を正常に受信すれば、所定の待機時間だけ送信を停止する処理機能を有しているのである。
【００４０】
次に、第２実施形態の特徴となる動作を説明する。ただし、照明器具２０Ａ，２０Ｂは、それぞれ通信部１１に対して優先権の有る設定および無い設定になっているものとする。
【００４１】
照明器具２０Ａ，２０Ｂのうち、例えば照明器具２０Ａが照明器具２０Ｂに向けて、ある信号を送信したとすると、照明器具２０Ｂは、照明器具２０Ａからの信号のデータに誤りがないかのチェックを行い、誤りがなければ正確に受信できた旨の返信信号を照明器具２０Ａに返信する。
【００４２】
この後、照明器具２０Ａにおいて、通信部１１を介して正確に受信できた旨の返信信号
が受信されると、待機時間だけ送信を停止する処理が実行される。
【００４３】
これにより、照明器具２０Ｂは、上記返信信号の送信時点から上記待機時間の間、所望の信号を照明器具２０Ａに送信することが可能になる。この結果、通信量の多い通信路などで、優先権の有る設定の照明器具による通信路の占有状態を防止することが可能になり、優先権の無い設定の照明器具も確実に所望の信号を送信することが可能になる。
【００４４】
図５は本発明の第３実施形態に係る照明装置を示す図、図６は図５に示す照明装置における各照明器具の構成図、図７は図６に示す各通信部の構成図で、これらの図を用いて以下に第３実施形態の説明を行う。ただし、下記説明において、識別の便宜上、図５に示す括弧内の符号３０Ａ〜３０Ｄを適宜使用する。
【００４５】
本照明装置は、図５に示すように、複数の照明器具３０を信号線Ｎでいわゆる渡り接続して成り、各照明器具３０は、図６に示すように、照明負荷１２、記憶部１３、人感センサ１４および電源部１７を第１実施形態と同様に備えているほか、第１実施形態との相違点として通信部３１および制御部３６を備えている。
【００４６】
通信部３１は、他の１つの照明器具３０と個別に接続される信号線Ｎにそれぞれが接続される通信部３１１，３１２を有して成り、これら通信部３１１，３１２の各々は、低価格で高信頼性の双方向通信が可能で、一般的なマイコンに内蔵されているＵＡＲＴ方式に従って構成される。
【００４７】
すなわち、各通信部は、図７に示すように、マイコンにより成る制御部３６のＵＡＲＴ信号出力端子に接続される入力端子３１ａと、発振器３１ｂと、入力端子３１ａおよび発振器３１ｂの出力端子に２入力端子が接続されるＮＯＲ回路３１ｃと、発振器３１ｂの出力端子に入力端子が接続されるＮＯＴ回路３１ｄと、入力端子３１ａおよびＮＯＴ回路３１ｄの出力端子に２入力端子が接続されるＮＯＲ回路３１ｅと、ＮＯＲ回路３１ｃ，３１ｅの出力端子にそれぞれベースが接続されるエミッタ接地のトランジスタＱ３１１，Ｑ３１２と、これらのコレクタにそれぞれ一端が接続される抵抗Ｒ３１１，３１２と、これらの他端にそれぞれ両端が接続されるタップ付きの巻線ｎ３１を有するとともに他の照明器具３０側への信号線Ｎに接続される巻線ｎ３２を有するパルストランスＴ３１と、抵抗Ｒ３１２の他端とグランドとの間に直列接続される抵抗Ｒ３１３，Ｒ３１４と、所定の電源ラインとグランドとの間に直列接続される抵抗Ｒ３１５，Ｒ３１６と、抵抗Ｒ３１３，Ｒ３１４の接続点および抵抗Ｒ３１５，Ｒ３１６の接続点にそれぞれ反転入力端子および非反転入力端子が接続されるコンパレータ３１ｆと、この非反転入力端子および出力端子間に接続される抵抗Ｒ３１７と、コンパレータ３１ｆの出力端子に接続されるモノマルチバイブレータ（例えば、一般的なロジックＩＣ７４ＨＣ１２３）３１ｇと、この出力端子に接続されるとともに制御部３６のＵＡＲＴ信号入力端子に接続される出力端子３１ｈとにより構成されている。
【００４８】
ここで、上記構成の通信部の概略動作を説明する。入力端子３１ａにＵＡＲＴ信号が入力されると、このＵＡＲＴ信号は、この信号速度よりも早い周波数の信号で変調されて、互いに逆相となる変調ＵＡＲＴ信号としてトランジスタＱ３１１，Ｑ３１２から出力してパルストランスＴ３１を駆動する。これにより、変調ＵＡＲＴ信号のデータが信号線Ｎを介して他の照明器具３０に差動の電気信号で伝達される。一方、他の照明器具３０から信号線ＮおよびパルストランスＴ３１を介して変調ＵＡＲＴ信号が受信されると、受信された変調ＵＡＲＴ信号は、簡単なピークホールド回路を構成するモノマルチバイブレータ３１ｇによりＵＡＲＴ信号に復調されて制御部３６のＵＡＲＴ信号入力端子に入力する。
【００４９】
図６に戻って、制御部３６は、通信部３１を介して他の照明器具３０との通信処理を行う以外は、第１実施形態の制御部１６と同様に構成される。例えば、各電源投入後、図５に示す同一の信号線Ｎで互いに接続された２つの照明器具３０のうち、人の存在の検出結果を最初に送信した照明器具３０におけるその同一の信号線Ｎに接続された通信部に対して、信号送信用の高い優先権を付与するように優先権の有る設定を行うとともに、人の存在の検出結果を最初に送信しなかった照明器具３０における上記同一の信号線Ｎに接続された通信部に対して、信号送信用の低い優先権を付与するように優先権の無い設定を行う処理が各制御部３６により実行される。
【００５０】
次に、第３実施形態の優先権の設定動作を説明する。ただし、電源投入前の各照明器具３０は、優先権の有無が設定されていないあるいは優先権の無い設定になっているものとする。
【００５１】
各電源投入後、例えば、図５に示す照明器具３０Ａ，３０Ｂ，３０Ｃのうち、人が最初に照明器具３０Ｂの人感センサ１４の検出エリア内に存在するようになると、人の存在の検出結果が照明器具３０Ｂの通信部３１１，３１２からそれぞれ照明器具３０Ａの通信部３１２および照明器具３０Ｃの通信部３１１に向けて送信される。
【００５２】
この後、照明器具３０Ａにおいて、通信部３１２を介して人の存在の検出結果を電源投入後最初に受信すると、検出結果のデータに誤りがないかのチェックを行って誤りがなければ、正確に受信できた旨の返信信号を通信部３１２を介して照明器具３０Ｂに返信するとともにその通信部３１２に対して優先権の無い設定を行う処理が実行される。これと平行して、照明器具３０Ｃにおいて、通信部３１１を介して人の存在の検出結果を電源投入後最初に受信すると、検出結果のデータに誤りがないかのチェックを行って誤りがなければ、正確に受信できた旨の返信信号を通信部３１１を介して照明器具３０Ｂに返信するとともにその通信部３１１に対して優先権の無い設定を行う処理が実行される。
【００５３】
この後、照明器具３０Ｂにおいて、電源投入後最初に人の存在の検出結果を送信した結果、照明器具３０Ａ，３０Ｃからそれぞれ通信部３１１，３１２を介して正確に受信できた旨の返信信号を受信すると、それら通信部３１１，３１２に対して優先権の有る設定を行う処理が実行される。
【００５４】
このようにして、同一の信号線Ｎで互いに接続された照明器具間毎に優先権の有無が設定されるので、設定された優先権の有無に従って送受信が行われる構成にすれば、信号衝突を回避することが可能となり、情報の損失を防止することが可能になる。
【００５５】
図８は本発明の第４実施形態に係る照明装置における各照明器具の構成図、図９は図８に示すリレーの接点の動作説明図で、これらの図を用いて以下に第４実施形態の説明を行う。
【００５６】
本照明装置は、複数の照明器具４０を信号線Ｎで渡り接続して成り、各照明器具４０は、図８に示すように、照明負荷１２、記憶部１３、人感センサ１４、電源部１７および制御部３６を第３実施形態と同様に備えているほか、第３実施形態との相違点として通信部４１を備えている。
【００５７】
この通信部４１は、通信部３１１，３１２に加えて、いわゆる２Ｃ接点のリレーＲＬ４１をさらに備えている。このリレーＲＬ４１は、図９に示すように、一対の信号線Ｎの一方（図では上方）に介設されるとともにその一方と通信部３１１におけるパルストランスＴ３１の巻線ｎ３２の一端との間にも介設されるシーソータイプの接点Ｓ４１１と、一対の信号線Ｎの他方に介設されるとともにその他方と通信部３１２におけるパルストランスＴ３１の巻線ｎ３２の一端との間にも介設されるシーソータイプの接点Ｓ４１２とを備え、当該照明器具４０における電源部１７がオフになると、図９（ａ）に示すように接点Ｓ４１１，Ｓ４１２を切り替えて、通信部３１１，３１２を信号線Ｎから切り離すとともに一対の信号線Ｎの各々を直結する一方、電源部１７がオンになると、図９（ｂ）に示すように接点Ｓ４１１，Ｓ４１２を切り替えて、一対の信号線Ｎの各々を遮断するとともに、遮断状態の信号線の一方の終端側に通信部３１１を接続して他方の終端側に通信部３１２を接続するものである。
【００５８】
このようにリレーＲＬ４１をさらに設けると、通信部３１１，３１２の一方で受信した信号を他方から送信するバケツリレーのような通信方式に好適に対応可能となる。例えば、リレーＲＬ４１を具備しない場合、電源部１７がオフであると、通信部３１１，３１２の一方で受信した信号が他方に送信されなくなって、信号の伝達が途中でストップすることになるが、リレーＲＬ４１を設けることにより、電源部１７がオフになっても、一対の信号線Ｎの各々が直結状態となるので、信号がそのまま通過して信号の伝達が途中でストップする不具合が防止されるのである。
【００５９】
図１０は本発明の第５実施形態に係る照明装置を示す図、図１１は図１０に示す照明装置における各照明器具の構成図で、これらの図を用いて以下に第５実施形態の説明を行う
。ただし、下記説明において、識別の便宜上、図１０に示す括弧内の符号５０Ａ〜５０Ｄを適宜使用する。
【００６０】
本照明装置は、図１０に示すように、複数の照明器具５０を信号線Ｎで渡り接続して成り、各照明器具５０は、図１１に示すように、通信部３１、照明負荷１２、記憶部１３および電源部１７を第３実施形態と同様に備えているほか、第３実施形態との相違点として、リモコンＲＣからの信号受信用のリモコン受信部５５、およびマイコンにより成り当該照明器具５０全般の制御などの処理を行う制御部５６を備えている。
【００６１】
ここで、この制御部５６が有する各種処理機能を説明する。例えば、リモコン受信部５５の受信状態を監視して、リモコンＲＣからリモコン受信部５５を介して信号を受信すると、その信号のデータを通信部３１を介して他の照明器具５０に送信するなどの処理が実行される。また、通信部３１を介して信号を受信すると、その信号のデータに誤りがないかのパリティチェックを行い、誤りがなければ正確に受信できた旨の返信信号を通信部３１を介してその信号の送信元に返信する処理が行われる。さらに、通信部３１を介した他の照明器具５０との相互の情報交換により照明負荷１２を制御する処理が行われる。
【００６２】
そして、第５実施形態の特徴として、所定のトリガの投入としてのリモコンＲＣからの「優先権確定」という特定の信号の入力後、各制御部５６は、その特定の信号を最初に送信した照明器具５０に対して、信号送信用の高い優先権を付与するように処理を行う。さらに詳述すると、図１０に示す同一の信号線Ｎで互いに接続された２つの照明器具５０のうち、特定の信号の入力後にその特定の信号を最初に送信した照明器具５０における通信部に対して、信号送信用の高い優先権を付与するように優先権の有る設定を行うとともに、特定の信号の入力後にその特定の信号を最初に受信した他の照明器具５０における通信部に対して、信号送信用の低い優先権を付与するように優先権の無い設定を行う処理が各制御部５６により行われる。このため、各制御部５６は、通信部３１１または通信部３１２を介して「優先権確定」という特定の信号を受信すると、この特定の信号を受信した通信部に対して優先権の無い設定を行う処理機能と、特定の信号の入力後最初にその特定の信号を送信した結果、通信部３１１，３１２を介して正確に受信できた旨の返信信号を受信すると、それら通信部３１１，３１２に対して優先権の有る設定を行う処理機能とを有するのである。なお、優先権の設定は、前に設定した優先権の設定を破棄するように、すなわち新しい設定で上書きするように行われる。
【００６３】
さらに、各制御部５６は、優先権の有無の設定が終了すると、これ以降、優先権の有無に従って種々のデータを送信する処理を行う。例えば、第１実施形態と同様の処理が行われる。
【００６４】
次に、第５施形態の特徴となる動作を説明する。ただし、これから説明する各照明器具５０は、優先権の有無が設定されていないあるいは優先権の無い設定になっているものとする。
【００６５】
例えば、図１０に示す照明器具５０Ａ，５０Ｂ，５０Ｃのうち、照明器具５０Ｂに向けてリモコンＲＣから「優先権確定」という特定の信号が送信されたとすると、照明器具５０Ｂにおいて、リモコン受信部５５を介して特定の信号が受信され、この後、搬送信号を変えて、「優先権確定」という特定の信号が通信部３１１，３１２からそれぞれ照明器具５０Ａの通信部３１２および照明器具５０Ｃの通信部３１２に向けて送信される。
【００６６】
この後、照明器具５０Ａにおいて、通信部３１２を介して特定の信号を受信すると、この特定の信号のデータに誤りがないかのチェックを行って誤りがなければ、正確に受信できた旨の返信信号を通信部３１２を介して照明器具５０Ｂに返信するとともにその特定の信号を受信した通信部３１２に対して優先権の無い設定を行う処理が実行される。これと平行して、照明器具５０Ｃにおいて、通信部３１１を介して特定の信号を受信すると、この特定の信号のデータに誤りがないかのチェックを行って誤りがなければ、正確に受信できた旨の返信信号を通信部３１１を介して照明器具５０Ｂに返信するとともにその特定の信号を受信した通信部３１１に対して優先権の無い設定を行う処理が実行される。
【００６７】
この後、照明器具５０Ｂにおいて、特定の信号の入力後最初にその特定の信号を送信した結果、通信部３１１，３１２を介して正確に受信できた旨の返信信号を受信すると、それら通信部３１１，３１２に対して優先権の有る設定を行う処理が実行される。
【００６８】
以上により、優先権の有る設定が照明器具５０Ｂにおける通信部３１１，３１２に対して行われるとともに、優先権の無い設定が照明器具５０Ａにおける通信部３１２および照明器具５０Ｃにおける通信部３１１に対して行われる。このようにして、各通信部に優先権の有無が設定されると、第１実施形態と同様に、各照明器具間で、設定された優先権の有無に従って送受信が行われるので、信号衝突を回避することが可能となり、情報の損失を防止することが可能になる。
【００６９】
また、優先権に不整合が生じる場合に対応可能となる。第１実施形態では、例えば、優先権の有る設定の照明器具（１０Ａとする）における電源が個別に切られて再度投入されると、照明器具１０Ａは優先権の無い設定に戻ってしまう。これは各種設定データが通常ＲＡＭなどの揮発性メモリに記憶されるからである。この後、照明器具１０Ｂが人の存在の検出結果を照明器具１０Ａに送信したとすると、照明器具１０Ａにとっては、電源投入後、最初に人の存在の検出結果を受信したことになるので、受信した検出結果に誤りがなければ返信信号を照明器具１０Ｂに返信するとともに自己の通信部１１に対して優先権の無い設定を行う処理が実行されることになる。この結果、照明器具１０Ａ，１０Ｂともに優先権の無い設定となり、優先権に不整合が生じる。この問題は、優先権の設定状態を不揮発性メモリに記憶させれば解決可能である。しかしながら、第３実施形態のように電源オフ時に信号がスルーで通過するような構成の場合や、信号線の配線経路が工事などで変更された場合には、不揮発性メモリを使用したとしても優先権不整合の問題が発生し得る。このような場合でも、第５実施形態のように、特定の信号で優先権を意識的に設定するようにすれば、優先権不整合の問題が解消されることになり、この結果、信号の損失（消失）を防止することが可能になる。
【００７０】
図１２は本発明の第６実施形態に係る照明装置を示す図、図１３は図１２に示す照明装置における各照明器具の構成図で、これらの図を用いて以下に第６実施形態の説明を行う。ただし、下記説明において、識別の便宜上、図１２に示す括弧内の符号６０Ａ〜６０Ｄを適宜使用する。
【００７１】
本照明装置は、図１２に示すように、複数の照明器具６０を信号線Ｎで渡り接続して成り、各照明器具６０は、図１３に示すように、通信部３１、照明負荷１２、記憶部１３、人感センサ１４および電源部１７を第３実施形態と同様に備えているほか、第３実施形態との相違点として制御部６６を備えている。
【００７２】
この制御部６６は、他の照明器具６０に返信信号を返信する場合、自己の優先権の有無を示す返信信号を返信する処理を行う以外は、第３実施形態の制御部３６と同様に構成される。例えば、優先権の有無をそれぞれ１および０で示すフラグを付加するなどにより、返信信号に種類が設けられる。第６実施形態では、各照明器具６０は、優先権の有る設定の通信部を介して返信を行う場合には、優先権の有る設定になっていることを示す特別な返信信号Ｆ１を使用し、優先権の無い設定の通信部を介して返信を行う場合には、返信信号Ｆ１でない返信信号Ｆ０を使用する構成になっている。
【００７３】
次に、第６実施形態の特徴となる動作を説明する。ただし、照明器具６０Ａの通信部３１２に対しては優先権の有る設定、照明器具６０Ｂの通信部３１１に対しては優先権の無い設定、照明器具６０Ｂの通信部３１２に対しては優先権の有る設定、そして照明器具６０Ｃの通信部３１１に対しては優先権の無い設定になっているものとする。
【００７４】
照明器具６０Ａの電源部１７が個別に切られて再度投入された後、照明器具６０Ｂの人感センサ１４が照明器具６０Ａの人感センサ１４より先に人の存在を検出したとすると、人の存在の検出結果が照明器具６０Ｂの通信部３１１，３１２からそれぞれ照明器具６０Ａの通信部３１２および照明器具６０Ｃの通信部３１１に送信される。
【００７５】
この後、照明器具６０Ａにおいて、通信部３１２を介して人の存在の検出結果を受信すると、通信部３１２を介して人の存在の検出結果を電源投入後最初に受信したことになるので、検出結果のデータに誤りがないかのチェックを行って誤りがなければ、正確に受信できた旨の返信信号Ｆ０を通信部３１２を介して照明器具６０Ｂに返信するとともにその通信部３１２に対して優先権の無い設定を行う処理が実行される。これと平行して、照明器具６０Ｃにおいて、通信部３１１を介して人の存在の検出結果を受信すると、検出結果のデータに誤りがないかのチェックを行って誤りがなければ、正確に受信できた旨の返信信号Ｆ０を通信部３１１を介して照明器具６０Ｂに返信する処理が実行される。
【００７６】
この後、照明器具６０Ｂは、照明器具６０Ａ，６０Ｃからそれぞれ通信部３１１，３１２を介して正確に受信できた旨の返信信号Ｆ０を受信することになる。この場合、照明器具６０Ａの通信部３１１，３１２には、それぞれ優先権の無い設定および優先権の有る設定になっているので、照明器具６０Ａ，６０Ｂからそれぞれ返信信号Ｆ１および返信信号Ｆ０を受信すべきところ、双方から返信信号Ｆ０を受信したことにより、照明器具６０Ｂは、照明器具６０Ａとの間で優先権の不整合が発生していることを認識することができる。
【００７７】
これにより、優先権の不整合の自動修正が可能になる。例えば、照明器具６０Ｂが自己の通信部３１１に対して優先権の有る設定に修正変更すれば、照明器具６０Ａと整合化のための再通信を行うことなく、最短時間で優先権の不整合を修正することが可能となる。
【００７８】
図１４は本発明の第７実施形態に係る照明装置を示す図、図１５は図１４に示す照明装置における各照明器具の構成図で、これらの図を用いて以下に第７実施形態の説明を行う。ただし、下記説明において、識別の便宜上、図１４に示す括弧内の符号７０Ａ〜７０Ｃを適宜使用する。
【００７９】
本照明装置は、図１４に示すように、複数の照明器具７０を信号線Ｎで接続して成り、各照明器具７０は、図１５に示すように、照明負荷１２、記憶部１３、人感センサ１４および電源部１７を第１実施形態と同様に備えているほか、第１実施形態との相違点として他の複数の照明器具７０と接続が可能な通信部７１、および例えばマイコンにより成り当該照明器具７０全般の制御などの処理を行う制御部７６を備えている。
【００８０】
ここで、この制御部７６が有する種々の処理機能を説明する。例えば、人感センサ１４の出力を監視して人感センサ１４が検出エリア内に人の存在を検出すると、人の存在の検出結果を通信部７１を介して他の照明器具７０に送信する処理が行われる。また、通信部７１を介して人の存在の検出結果を受信すると、その検出結果のデータに誤りがないかのパリティチェックを行い、誤りがなければ正確に受信できた旨の返信信号を通信部７１を介してその検出結果の送信元に返信する処理が行われる。さらに、通信部７１を介した他の照明器具７０との相互の情報交換により照明負荷１２を制御する処理が行われる。
【００８１】
そして、第７実施形態の特徴として、各電源投入後、各制御部７６は、所定の信号を最初に送信した照明器具７０に対して信号送信用の高い優先権を付与するように処理を少なくとも行う。さらに詳述すると、各電源投入後、各制御部７６は、所定の信号として例えば人の存在の検出結果をより先に送信した照明器具７０に対して、信号送信用の高い順位の優先権を設定する処理を行う。このため、各制御部７６は、電源投入後、通信部７１を介して人の存在の検出結果を受信すると、上記返信信号を、自己の優先権の順位を示すデータとともに通信部７１を介してその検出結果の送信元に返信する処理機能を有する。すなわち、複数種類の返信信号が設けられるのである。また、各制御部７６は、通信部７１を介して正確に受信できた旨の返信信号を他の照明器具７０の優先権の順位を示すデータとともに受信すると、受信した全ての順位を除く順位のうちでより高い順位の優先権を自己の通信部７１に対して設定する処理機能を有する。
【００８２】
ただし、優先権の順位を設定するまでは、各制御部７６は、信号を受信した後に返信信号を返信する際、受信時点から擬似的なランダム時間が経過した後にその返信信号を返信する処理を行う。これにより、優先権の順位設定前における信号衝突の発生率を低減することができ、信号の損失を最小限にくい止めることができる。なお、これに限らず、本照明装置の照明器具７０の台数を各照明器具７０に予め記憶し、その台数と受信した返信信号の数とを比較することによって信号の衝突を検出し、これにより衝突を検出した場合には同一の信号を再送する構成でもよい。
【００８３】
次に、第７実施形態の特徴となる優先権の設定動作を説明する。ただし、電源投入前の各照明器具７０には、最も低い例えば順位３の優先権が設定されているものとする。
【００８４】
各電源投入後、照明器具７０Ａ〜７０Ｃのうち、人が最初に、例えば照明器具７０Ａの
人感センサ１４の検出エリア内に存在するようになると、人の存在の検出結果が照明器具７０Ａから照明器具７０Ｂ，７０Ｃに送信される。
【００８５】
この後、照明器具７０Ｂにおいて、通信部７１を介して人の存在の検出結果を受信すると、その検出結果のデータに誤りがないかのパリティチェックを行い、誤りがなければ正確に受信できた旨の返信信号を、自己の優先権の順位３を示すデータとともに返信信号Ｓ３として、通信部７１を介してその検出結果の送信元に返信する処理が行われる。また、これと前後して、照明器具７０Ｃにおいて、通信部７１を介して人の存在の検出結果を受信すると、その検出結果のデータに誤りがないかのパリティチェックを行い、誤りがなければ正確に受信できた旨の返信信号を、自己の優先権の順位３を示すデータとともに返信信号Ｓ３として、通信部７１を介してその検出結果の送信元に返信する処理が行われる。
【００８６】
この後、照明器具７０Ａにおいて、通信部７１を介して人の存在の検出結果を送信した結果、通信部７１を介して、返信信号Ｓ３を、他の照明器具７０Ｂ，７０Ｃの優先権の順位３を示すデータとともに順次受信すると、受信した全ての順位３を除く順位のうちでより高い順位１の優先権を自己の通信部７１に対して設定する処理が行われる。なお、このとき、信号の衝突により返信信号を受信しない場合には、再度同一の信号が送信される。
【００８７】
この後、照明器具７０Ａ〜７０Ｃのうち、例えば照明器具７０Ｂの人感センサ１４の検出エリア内に人が存在するようになると、人の存在の検出結果が照明器具７０Ｂから照明器具７０Ａ，７０Ｃに送信される。
【００８８】
この後、照明器具７０Ａにおいて、通信部７１を介して人の存在の検出結果を受信すると、その検出結果のデータに誤りがないかのパリティチェックを行い、誤りがなければ正確に受信できた旨の返信信号を、自己の優先権の順位１を示すデータとともに返信信号Ｓ１として、通信部７１を介してその検出結果の送信元に返信する処理が行われる。これと前後して、照明器具７０Ｃにおいて、通信部７１を介して人の存在の検出結果を受信すると、その検出結果のデータに誤りがないかのパリティチェックを行い、誤りがなければ正確に受信できた旨の返信信号を、自己の優先権の順位３を示すデータとともに返信信号Ｓ３として、通信部７１を介してその検出結果の送信元に返信する処理が行われる。
【００８９】
この後、照明器具７０Ｂにおいて、通信部７１を介して人の存在の検出結果を送信した結果、通信部７１を介して、返信信号Ｓ１，Ｓ３を、それぞれ他の照明器具７０Ａ，７０Ｃの優先権の順位１，３を示すデータとともに受信すると、受信した全ての順位１，３を除く順位のうちでより高い順位２の優先権を自己の通信部７１に対して設定する処理が行われる。
【００９０】
以上により、照明器具７０Ａ〜７０Ｃに対してそれぞれ１〜３位の優先権が設定されることとなり、第１実施形態と同様に、照明器具７０Ａ〜照明器具７０Ｃの各間で、設定された優先権の順位に従って送受信が行われる構成にすれば、信号衝突を回避することが可能となり、情報の損失を防止することが可能になる。
【００９１】
【発明の効果】
以上のことから明らかなように、請求項１記載の発明によれば、複数の照明器具を信号線で接続して構成される照明装置であって、前記照明器具は、他の照明器具と個別に接続される前記信号線に接続される１つまたは２つの送受信用の通信部と、照明負荷と、前記通信部を介した他の照明器具との相互の情報交換により前記照明負荷の制御処理を行う制御部とを備え、前記制御部は、所定のトリガの投入後、所定の信号を最初に前記通信部を介して受信した場合には、その通信部を介して前記所定の信号に対する返信信号を返信するとともにその通信部に対して低い優先権を付与するように処理を行う一方、前記所定のトリガの投入後、前記所定の信号を最初に前記通信部を介して送信した結果、その通信部を介して前記所定の信号に対する返信信号を受信した場合には、その通信部に対して信号送信用の高い優先権を付与するように処理を行うことで前記所定の信号を最初に送信した照明器具に対して高い優先権を付与するので、高い優先権を付与するように処理が行われた照明器具と高い優先権を付与するように処理が行われなかった照明器具との間で、優先権の付与状態に従って送受信が行われる構成にすれば、信号の衝突を回避することが可能となり、情報の損失を防止することが可能になる。また、優先権の競合状態を防止することもできる。  
【００９２】
請求項２記載の発明によれば、請求項１記載の照明装置において、前記優先権には複数の優先順位があって、前記制御部は、前記優先権を付与するように処理を行った後、前記所定の信号に対する返信信号を、自己側の優先権の付与状態を示す情報とともに返信する処理を行う一方、前記通信部を介して受信した他の照明器具側の優先権の付与状態と自己側の優先権の付与状態との間に不整合が生じていると、前記他の照明器具側の優先権の付与状態を利用して自己側の優先権の付与状態を修正する処理を行うので、優先権の付与状態の不整合を自動修正することができる。
【００９３】
請求項３記載の発明によれば、請求項１または２記載の照明装置において、前記制御部は、前記優先権を付与するように処理が行われる前はランダムな値を利用したタイミングで信号の送信処理を行うので、優先権を付与するように処理が行われる前、信号が衝突する確率を減少させることができる。
【００９４】
請求項４記載の発明によれば、請求項１〜３のいずれかに記載の照明装置において、前記所定のトリガの投入とは電源投入または外部送信機からの信号入力であるので、電源投入である場合には、優先権の付与のための手間が不要となる一方、外部送信機からの信号入力である場合には、例えば、優先権の付与状態の不整合を補正することが可能になる。
【００９５】
請求項５記載の発明によれば、請求項１〜４のいずれかに記載の照明装置において、前記優先権を付与するとは優先権を設定することであり、前記所定のトリガが投入されると、前記優先権の設定が初期化され、前記制御部は新たな優先権を設定する処理を行う構成であるが、この構成でも、信号の衝突を回避することが可能となり、情報の損失を防止することが可能になる。
【００９６】
請求項６記載の発明によれば、請求項１〜５のいずれかに記載の照明装置において、前記所定の信号は、前記照明器具で使用される任意の信号または前記優先権付与用の特定の信号である構成であるが、この構成でも、信号の衝突を回避することが可能となり、情報の損失を防止することが可能になる。
【００９７】
請求項７記載の発明によれば、請求項１〜６のいずれかに記載の照明器具において、前記制御部は、当該制御部が属する照明器具に対して高い優先権を付与するように処理が行われた場合には、前記通信部を介して信号を送信した後、その信号に対する返信信号を受信しないまま所定時間が経過すると同一の信号を再度送信する処理を行う一方、当該制御部が属する照明器具に対して高い優先権を付与するように処理が行われなかった場合には、前記通信部を介して信号を送信した後、その信号に対する返信信号を受信しないまま前記所定時間より長い時間が経過すると同一の信号を再度送信する処理を行うので、信号の衝突を回避することが可能となり、情報の損失を防止することが可能になる。
【００９８】
請求項８記載の発明によれば、請求項１〜７のいずれかに記載の照明器具において、前記制御部は、当該制御部が属する照明器具に対して、高い優先権を付与するように処理が行われた場合には、前記通信部を介して信号を送信した後、高い優先権を付与するように処理が行われなかった照明器具に対して信号の送信を許容する処理を行うので、信号の衝突を回避することが可能となり、情報の損失を防止することが可能になる。また、通信路の独占防止が可能になる。
【００９９】
請求項９記載の発明によれば、複数の照明器具を信号線で接続して構成される照明装置であって、前記照明器具は、前記信号線に接続される送受信用の通信部と、照明負荷と、前記通信部を介した他の照明器具との相互の情報交換により前記照明負荷の制御処理を行う制御部とを備え、前記制御部は、電源投入後、前記照明器具で使用される信号のうち、任意の信号を最初に前記通信部を介して受信した場合には、その通信部を介して前記任意の信号に対する返信信号を返信するとともにその通信部に対して低い優先権を付与するように処理を行う一方、電源投入後、前記任意の信号を最初に前記通信部を介して送信した結果、その通信部を介して前記任意の信号に対する返信信号を受信した場合には、その通信部に対して高い優先権を付与するように処理を行い、また、当該制御部が属する照明器具に対して高い優先権を付与するように処理が行われた場合には、前記通信部を介して信号を送信した後、その信号に対する返信信号を受信しないまま所定時間が経過すると同一の信号を再度送信する処理を行う一方、当該制御部が属する照明器具に対して低い優先権を付与するように処理が行われた場合には、前記通信部を介して信号を送信した後、その信号に対する返信信号を受信しないまま前記所定時間より長い時間が経過すると同一の信号を再度送信する処理を行い、また、前記優先権を付与するように処理を行った後、前記任意の信号に対する返信信号を、自己側の優先権の付与状態を示す情報とともに返信する処理を行う一方、前記通信部を介して受信した他の照明器具側の優先権の付与状態と自己側の優先権の付与状態との間に不整合が生じていると、前記他の照明器具側の優先権の付与状態を利用して自己側の優先権の付与状態を修正する処理を行い、電源が投入されると、前記優先権の付与状態が初期化され、前記制御部は新たな優先権を設定する処理を行うので、信号の衝突を回避することが可能となり、情報の損失を防止することが可能になる。また、優先権の競合状態を防止することができ、優先権の付与状態の不整合を自動修正することができる。さらに、通信路の独占防止が可能になる。
【図面の簡単な説明】
【図１】  本発明の第１実施形態に係る照明装置における各照明器具の構成図である。
【図２】  第１実施形態に係る照明装置を示す図である。
【図３】  本発明の第２実施形態に係る照明装置を示す図である。
【図４】  図３に示す照明装置における各照明器具の構成図である。
【図５】  本発明の第３実施形態に係る照明装置を示す図である。
【図６】  図５に示す照明装置における各照明器具の構成図である。
【図７】  図６に示す各通信部の構成図である。
【図８】  本発明の第４実施形態に係る照明装置における各照明器具の構成図である。
【図９】  図８に示すリレーの接点の動作説明図である。
【図１０】  本発明の第５実施形態に係る照明装置を示す図である。
【図１１】  図１０に示す照明装置における各照明器具の構成図である。
【図１２】  本発明の第６実施形態に係る照明装置を示す図である。
【図１３】  図１２に示す照明装置における各照明器具の構成図である。
【図１４】  本発明の第７実施形態に係る照明装置を示す図である。
【図１５】  図１４に示す照明装置における各照明器具の構成図である。
【図１６】  親機を備える従来の照明装置を示す図である。
【図１７】  分散処理型となる従来の照明装置を示す図である。
【符号の説明】
１０，２０，３０，４０，５０，６０，７０  照明器具
１１，３１，４１，７１  通信部
１２  照明負荷
１３  記憶部
１４  人感センサ
５５  リモコン受信部
１６，２６，３６，５６，６６，７６  制御部
１７  電源部
Ｎ  信号線
【図１】
0003812226.tif 000002
【図２】
0003812226.tif 000003
【図３】
0003812226.tif 000004
【図４】
0003812226.tif 000005
【図５】
0003812226.tif 000006
【図６】
0003812226.tif 000007
【図７】
0003812226.tif 000008
【図８】
0003812226.tif 000009
【図９】
0003812226.tif 000010
【図１０】
0003812226.tif 000011
【図１１】
0003812226.tif 000012
【図１２】
0003812226.tif 000013
【図１３】
0003812226.tif 000014
【図１４】
0003812226.tif 000015
【図１５】
0003812226.tif 000016
【図１６】
0003812226.tif 000017
【図１７】
0003812226.tif 000018